(57)【特許請求の範囲】
【請求項１】
可視光通信（Visible Light Communication：ＶＬＣ）における利用のための同期方法であって、
２パートのプリアンブルシーケンスを送信するステップを含み、前記プリアンブルシーケンスは、
クロック同期化のために用いるように構成されたファストロッキングパターン（Fast Locking Pattern：ＦＬＰ）の一つ以上の繰り返し、及び
複数のＶＬＣトポロジーの区別に用いるように構成されたトポロジー依存パターン（Topology Dependent Pattern：ＴＤＰ）の一つ以上の繰り返しを含む
ことを特徴とする同期方法。
【請求項２】
前記ＦＬＰは、反復される１０１０１０・・・パターンを有する最大転換シーケンス（Maximum Transition Sequence：ＭＴＳ）である
ことを特徴とする請求項１に記載の同期方法。
【請求項３】
前記ＴＤＰは、４個のＶＬＣトポロジー、即ちピアツーピア（Ｐ２Ｐ）、スター、放送及び可視性の区別に用いる
ことを特徴とする請求項１に記載の同期方法。
【請求項４】
前記ＴＤＰは、複数の予め定められたＴＤＰから選択され、各予め定められたＴＤＰは、カサミ（Kasami）シーケンスと関連した
ことを特徴とする請求項１に記載の同期方法。
【請求項５】
前記複数の予め定められたＴＤＰは、１５ビットのパターン「１１１１０１０１１００１０００」、「００１０１１１０１１１１１１０」、「１００１１０００００１００１１」及び「０１００００１１０１００１０１」を含む
ことを特徴とする請求項４に記載の同期方法。
【請求項６】
前記ＴＤＰの一つ以上の繰り返しの中の少なくとも一つは、よりよい同期化性能のために反転される
ことを特徴とする請求項１に記載の同期方法。
【請求項７】
前記ＴＤＰの一つ以上の繰り返しについて一つおきに反転される
ことを特徴とする請求項６に記載の同期方法。
【請求項８】
前記２パートのプリアンブルシーケンスは、第１フレームで送信され、前記方法は、バーストモードにおける第２フレームでＦＬＰ無しにプリアンブルシーケンスを送信するステップをさらに含む
ことを特徴とする請求項１に記載の同期方法。
【請求項９】
前記ＦＬＰの長さは、可変的である
ことを特徴とする請求項１に記載の同期方法。
【請求項１０】
前記ＦＬＰの長さは、６４ビットと１６３８４ビットの間にある
ことを特徴とする請求項９に記載の同期方法。
【請求項１１】
前記ＴＤＰは、トポロジーを決めるため、４回反復される
ことを特徴とする請求項１に記載の同期方法。
【請求項１２】
前記プリアンブルシーケンスは、オン−オフキー変調を利用して送信される
ことを特徴とする請求項１に記載の同期方法。
【請求項１３】
可視光通信（Visible Light Communication：ＶＬＣ）における利用のため、拡張されたプリアンブルを送信する方法であって、
拡張されたプリアンブルを生成するステップ、及び
可視性支援を維持し、よりよい請求項１に記載の同期方法を用いた同期化性能のため、受信又はアイドルモード中に上記拡張されたプリアンブルを送信するステップを含む
ことを特徴とする方法。
【請求項１４】
前記拡張されたプリアンブルは、ファストロッキングパターン（Fast Locking Pattern：ＦＬＰ）である
ことを特徴とする請求項１３に記載の方法。
【請求項１５】
前記拡張されたプリアンブルを送信するステップは、アイドル又は受信ブロック中にプリアンブルを予め定められた回数で送信するステップを含む
ことを特徴とする請求項１３に記載の方法。
【請求項１６】
媒体アクセス制御（Media Access Control：ＭＡＣ）階層は、送信のための拡張されたプリアンブルを決め、この決められた、拡張されたプリアンブルをＭＡＣ−ＰＨＹインタフェースで変数を用いて物理層（ＰＨＹ）に表す
ことを特徴とする請求項１３に記載の方法。
【請求項１７】
媒体アクセス制御（Media Access Control：ＭＡＣ）階層は、アイドル又は受信ブロックの長さに基づいて、プリアンブルが送信された、予め定められた回数を決める
ことを特徴とする請求項１３に記載の方法。
【請求項１８】
前記アイドルの時間がプリアンブル長さの整数倍でない場合、送信中に前記拡張されたプリアンブルを切断（truncated）する
ことを特徴とする請求項１３に記載の方法。
【請求項１９】
可視光通信（Visible Light Communication：ＶＬＣ）における利用のため、多数のＶＬＣ送信を区別する方法であって、
第１ＶＬＣ送信と関連した第１プリアンブルを受信するステップ、
前記第１プリアンブルが予測されたプリアンブルと一致しないと判断されると、前記第１ＶＬＣ送信を拒絶するステップ、
第２ＶＬＣ送信と関連した第２プリアンブルを受信するステップ、及び
前記第２プリアンブルが前記予測されたプリアンブルと一致すると判断されると、前記第２ＶＬＣ送信に請求項１に記載の同期方法を用いて同期化するステップを含む
ことを特徴とする方法。
【請求項２０】
前記第１ＶＬＣトポロジーと第２ＶＬＣトポロジーは、互いに異なるトポロジーである
ことを特徴とする請求項１９に記載の方法。
【請求項２１】
前記第１ＶＬＣトポロジーは、第１カラーチャンネルにおける通信を含み、前記第２ＶＬＣトポロジーは、第２カラーチャンネルにおける通信を含む
ことを特徴とする請求項２０に記載の方法。
【請求項２２】
前記第１ＶＬＣトポロジーと前記第２ＶＬＣトポロジーは、同一のトポロジーである
ことを特徴とする請求項１９に記載の方法。
【請求項２３】
前記第１プリアンブルは、第１カバーシーケンスと関連し、前記第２プリアンブルは、第２カバーシーケンスと関連する
ことを特徴とする請求項１９に記載の方法。
【発明の詳細な説明】
【技術分野】
【０００１】
本発明は、可視光通信に関し、特に、可視光通信における複数のトポロジーを支援するためのプリアンブル設計及び多数のプリアンブルの利用に関する。
【背景技術】
【０００２】
可視光通信（Visible Light Communication: ＶＬＣ）は、光学的に透明な媒体において可視光を用いた近距離の光学無線通信のための新しい技術である。この技術は、数百のテラヘルツ（THz）の無許可（unlicensed）スペクトルについてのアクセスを提供する。VLCは、無線周波数（RF）システムなどと関連した電磁干渉と非干渉の問題による影響を受けない。VLCは、ユーザーが通信チャンネルに渡ってデータの送信を見られるようにすることで、付加的なセキュリティ水準を提供する。ＶＬＣの他の長所は、既存の可視光インフラからのサービス等（照明、ディスプレイ、標識、装飾など）を増大させ、かつ補完することである。ＶＬＣネットワークは、ＶＬＣと関連した二つ以上の装置のネットワークである。
【０００３】
図１は、全体の電磁周波数スペクトルと可視光が占める波長の発生を示している。可視光スペクトルは、約４００ないし７９０THzの周波数の範囲に該当する、略３８０−７８０ｎｍの波長に渡って分布する。このスペクトルは大きく、多数のカラーを有する光源をサポートするので、ＶＬＣ技術は、通信のため多くのチャンネルを提供することができる。
【発明の概要】
【発明が解決しようとする課題】
【０００４】
可視光通信（ＶＬＣ）における利用のために、同期化のための方法を提供する必要がある。
【０００５】
可視光通信（ＶＬＣ）における利用のために、拡張されたプリアンブルの送信方法を提供する必要がある。
【０００６】
可視光通信（ＶＬＣ）における利用のために、複数のＶＬＣ送信の区別方法を提供する必要がある。
【課題を解決するための手段】
【０００７】
本発明は、可視光通信（ＶＬＣ）における利用をための同期方法を提案する。この方法は、２パートのプリアンブルシーケンスを送信するステップを含む。上記プリアンブルシーケンスは、クロック同期化に用いるように構成されたファストロッキングパターン（Fast Locking Pattern: ＦＬＰ）の一つ以上の繰り返しと、複数のＶＬＣトポロジーの区別に用いるように構成されたトポロジー依存パターン（Topology Dependent Pattern: ＴＤＰ）の一つ以上の繰り返しを含む。
【０００８】
本発明は、可視光通信（ＶＬＣ）における利用をための拡張されたプリアンブルの送信方法を提案する。この方法は、拡張されたプリアンブルを生成し、可視性支援を維持し、同期化性能のため、受信又はアイドル（idle）モード中に、上記拡張されたプリアンブルを送信するステップを含む。
【０００９】
本発明は、可視光通信（ＶＬＣ）における利用をための多数のＶＬＣ送信の区別方法を提案する。この方法は、第１ＶＬＣ送信と関連した第１プリアンブルを受信するステップを含む。上記方法は、また、上記第１プリアンブルが予測のプリアンブルと一致しないと判断すると、上記第１ＶＬＣ送信を拒絶するステップを含む。上記方法は、第２ＶＬＣ送信と関連した第２プリアンブルを受信するステップをさらに含む。上記方法は、上記第２プリアンブルが上記予測のプリアンブルと一致すると判断すると、上記第２ＶＬＣ送信に同期化するステップをさらに含む。
【００１０】
後述の本発明の詳細な説明を始める前に、本明細書の全般に渡って使われる特定の単語及び句についての定義を述べるのが有利である。「含む（include, comprise）」及びこの派生語などは、制限のない包含を意味し、「又は（or）」は、包括的な（inclusive）意味で、「及び/又は」を言い、「関連した（associated with）」と「それと関連した（associated therewith）」及びこれらの派生語は、「含む（include）」、「〜内に含まれる（be included within）」、「〜と互いに連結する（interconnect with）」、「含有する（contain）」、「〜内に含有される（be contained within）」、「〜に（〜と）連結される（connect to or with）」、「〜に（〜と）結合される（couple to or with）」、「〜と通信可能である（be communicable with）」、「〜と協力する（cooperate with）」、「インターリーブ（interleave）」、「並置する（juxtapose）」、「〜に近い（be proximate to）」、「〜に（〜と）結束される（be bound to or with)」、「有する（have）」、「〜の特性を有する（have a property of）」などのような意味を有することができる。また、用語「制御部」とは、少なくとも一つの動作を制御する装置、システム又はこれらの一部を意味することができ、そのような装置はハードウェア、ファームウェア（firmware）又はソフトウェア、或いはこれらの少なくとも二つの組合わせから具現できる。特定の制御部と関連した機能は、近距離或いは遠隔で中央集中されるか、分散され得ることを留意すべきである。本特許明細書の全般にわたって特定の単語及び句についての定義が与えられ、当業者であれば、大部分の場合ではなくても、多くの場合、そのような定義がそのように定義された単語及び句の以前だけではなく、以後の使用においても適用されることを理解すべきである。
【００１１】
以下、本開示及びその利点についてのより完全な理解を助けるため、添付の図面を参照しながら、本発明の実施形態について詳細に説明する。なお、本明細書及び図面において、実質的に同一の参照番号は同一の構成要素を示す。
【図面の簡単な説明】
【００１２】
【図１】全体の電磁周波数スペクトルと可視光が占める波長の分布を示す図である。
【図２】ＶＬＣにより可能ないくつかの例示的な通信方法を示した図である。
【図３】ＶＬＣ通信により支援される例示のトポロジーを示す図である。
【図４】ＶＬＣスペクトルの互いに異なる周波数についてのカラーチャンネルの割当ての一例を示す図である。
【図５】ＶＬＣ通信中に起こり得る光干渉の例を示す図である。
【図６】一つのプリアンブルを用いたＶＬＣ通信と多数のプリアンブルを用いたＶＬＣ通信との比較を例示した図である。
【図７】本開示の実施形態により、クロック及びデータ回復（Clock and Data Recovery: ＣＤＲ）ユニットについてのファストロック（fast lock）タイムを獲得する方法を示す図である。
【図８】本開示の好適な実施形態により、送受信機が光学クロック同期を得て、着信メッセージにより多数のトポロジーを区別するにおいて利用できる２パートのプリアンブルフィールドを示す図である。
【図９】本開示の一実施形態により、バーストモード送信における使用のためのプリアンブルフィールドを示す図である。
【図１０】本開示の一実施形態により、拡張されたプリアンブルを有するＶＬＣ送信の一例を示す図である。
【図１１】本開示の一実施形態により、アイドル及び受信ブロック中にファストロッキングパターンを用いるＶＬＣ送信の一例を示す図である。
【図１２】本開示の一実施形態により、拡張されたプリアンブルモードのより詳しい一例を示す図である。
【図１３】本開示の一実施形態により、互いに異なる類型のＶＬＣ干渉の分離のための多数のプリアンブル類型の連接を含む拡張されたプリアンブルを示す図である。
【図１４】本開示の実施形態により、ファストロッキングパターンをベースプリアンブルパターンの繰り返しに統合して拡張されたプリアンブルを発生する方法を示す図である。
【発明を実施するための形態】
【００１３】
以下に論じる図面１乃至１４及び本特許文書における本開示の原理を説明するために利用される多様の実施形態は、例示的なものに過ぎず、本開示の範囲を制限するものとして類推されてはいけない。当業者であれば、本開示の原理などが適切に配列された可視光通信のネットワークにおいて具現できることがわかるだろう。
【００１４】
以下の文書と標準についての説明は、出願当時にhttp://www.ieee802.org/15/pub/TG7.htmlで接近できたＩＥＥＥ８０２．１５．７, 出願当時にhttp://www.ecma-international.org/memento/TC47_M.htmで接近できたＥＣＭＡ  ＴＣ_４７及びＴＧ７技術考慮事項の文書であるＩＥＥＥ８０２．１５−０９−０５６４−０１−０００７にここで完全に記述されたように、本開示に含まれる。
【００１５】
ＶＬＣは、様々な要求事項を有する広範囲のトポロジーを可能とする。図２は、ＶＬＣにより実行できるいくつかの例示的な通信方法を示している。図２（a）は、Ｐ２Ｐ（peer-to-peer）通信の一例を示す。この例において、移動電話機は、ＶＬＣを用いて他の移動電話機と通信する。図２（ｂ）は、近距離通信（Near Field Communication: ＮＦＣ）のためのＰ２ＰのＶＬＣ通信の他の例を示している。ＮＦＣは、通信距離の非常に短い場合（約<３０ｃｍ）に用いることができる。ＮＦＣでは、非常に高いデータ率（>１００Mbps）が達成できる。図示した例において、移動電話はＶＬＣを用いてラップトップコンピューターと通信する。
【００１６】
図２（ｃ）は、スタートポロジーを用いた可視ＬＡＮ（ＶＬＡＮ）の一例を示す。ＶＬＡＮにおいて、インフラ照明システムは、アクセスポイントとして機能し、ＬＡＮサービスがラップトップ又は移動電話のような、一つ 以上の装置に可能とする。図２（ｄ）は、情報放送（Information Broadcasting: ＩＢ）として知られた放送トポロジーの一例を示す。ＩＢシステムにおいて、公衆位置（例えば、ショッピングモール又は博物館）にあるディスプレイは、ＶＬＣを用いて情報（例えば、施設、方向又はサービスに関する情報）を放送できる。上記放送の範囲内にある装置など(例えば、移動電話機など)が上記情報を受信することができる。図２（e）は、ＶＢ（Vehicular Broadcasting）として知られた放送トポロジーの他の例を示す。ＶＢは、例えば、交通信号又は他の車両から安全又は交通情報を運搬することに用いられる。図２に示したＶＬＣトポロジーと装置は、例示的なものに過ぎないことがわかるだろう。他のＶＬＣトポロジーと装置も、また可能である。
【００１７】
図３は、ＶＬＣ通信により支援される例示的なトポロジーを示す。例えば、ＶＬＣは、図３（a）に示したピアツーピアトポロジーを支援する。ピアツーピアトポロジーを用いたＶＬＣ通信は、近距離無線通信（near field communication, ＮＦＣ）を含む。ＶＬＣは、また、図３（ｂ）に示したスタートポロジーを支援する。スタートポロジーを用いたＶＬＣの一例がＶＬＡＮである。ＶＬＣは、また、図３（ｃ）に示した放送トポロジーを支援する。放送トポロジーを用いたＶＬＣ通信の例は、ＩＢ（information broadcasting）とＶＢ（vehicular broadcasting）を含む。ＶＬＣは、また、図３（ｄ）に示した、データ送信のない場合、光源が点滅せず、一定の可視性を有するようにするため、アイドル又は受信の区間における可視性送信を支援する。従って、両方向、マルチキャスティング及び放送機能などは、ＶＬＣ通信を用いて支援され得る。
【００１８】
ピコネットは、ラップトップと携帯電話のような、少なくとも二つの装置が連結されるときに形成される。ピコネットが形成されると、連結が持続される間、一つの装置はマスタとして、他の装置（又は多数の装置）は、スレーブとして動作することができる。ピコネットは、二つの装置のみを含むか（例えば、Ｐ２Ｐトポロジー）、又は単一のマスタに連結した多数の装置から構成されてもよい（例えば、スタートポロジー）。本開示の特定の実施形態について、ピコネットを参照して説明するものの、そのような参照は例示的なものに過ぎず、本発明をそのようなネットワークにより制限することと類推してはいけない。
【００１９】
図４は、ＶＬＣスペクトルの互いに異なる周波数に対するカラーチャンネルの割当ての例を示している。その例から分かることができるように、並列のチャンネルでＶＬＣ動作を可能とするように、可視光スペクトルが多数のカラーチャンネルに分割できる。隣接したカラー帯域から選ばれたカラー帯域への流出があり得る。これにより、隣接したカラーの干渉が起こり得る。光検出器（受信機）における周波数の応答は、相当に広いため（全可視範囲のスペクトルに至ることもあり得る）、多数のカラーチャンネルを分離するための受信機で慎重しなければならない。そうではなければ、複数のチャンネルが相互干渉し得る。
【００２０】
図５は、ＶＬＣ通信中に起こり得る光干渉の例を示している。ＶＬＣは、日光、白熱灯及び蛍光ランプのような周辺の光源からの干渉だけではなく、三つの類型のネットワークの干渉、即ち、トポロジー間の干渉（同一カラー）、トポロジー内の干渉（同一カラー）及び隣接したカラーの干渉（異なるカラー）を経験し得る。
【００２１】
図５（a）は、二つのＶＬＣ装置５０２，５０４がＰ２Ｐモードで通信中であるが、同一のカラーチャンネルを用いているインフラアクセスポイント５０６からの干渉を受ける場合に起こり得るトポロジー間の干渉の一例を示している。図５（ｂ）は、ＶＬＡＮネットワークのアクセスポイント５０８と通信中の装置５０２が隣接した第２アクセスポイント５１０から干渉を受ける場合に起こり得るトポロジー内の干渉の一例を示している。トポロジー内の干渉は、車両トポロジー、例えば、車両が他の車両又は多数の交通明りから干渉を受けるようになる場合にも適用可能である。図５（c）及び図５（ｄ）は、図５（a）と図５（ｂ）と同様な物理的配列を示しているものの、図５（c）及び図５（ｄ）における干渉の光源は、異なる（例えば、隣接の）カラー帯域又はチャンネルで動作する。フォトダイオードは、非常に広い周波数の応答を有することができるので、隣接のカラー帯域の信号をピックアップすることもできる。これは、非常にシャープなフィルターが使用されない限り、干渉を起こし得る。しかし、かかるフィルターは高価であるか、設置するのが複雑であり得る。
【００２２】
指向性は、ＶＬＣの長所でもあり、短所でもある。装置が干渉を受ける場合、そのような干渉を他の装置に知らせるのが難しいことがある。例えば、図５（a）を見ると、インフラアクセスポイント５０６は、Ｐ２Ｐ装置５０２、５０４の間の通信を知らないこともあるが、これは、Ｐ２Ｐ装置がアクセスポイント５０６に向かっていなく、制限された送信電力を有していることもあるためである。従って、指向性は（指向性を有することになって）、干渉管理を助けることもできるだけではなく、（指向性により干渉を解決できないことによって）問題になることもあり得る。
【００２３】
図６は、一つのプリアンブルを用いたＶＬＣ通信と多数のプリアンブルを用いたＶＬＣ通信との比較を例示している。図６（a）は、単一のプリアンブルを用いたＶＬＣ通信の一例を示している。この例において、受信機６０６は望まない送信機６０２からのプリアンブルに同期化する。受信機６０６は、以後に、ヘッダと望まない送信機６０２からのデータを復号化しようとし、媒体アクセス制御（Media Access Control:ＭＡＣ）階層で最終的に、これを拒絶するが、これは、受信機６０６が自ら意図された受信者ではないことを決定した後である。一方、所望の送信機６０４は、受信機６０６との通信を試みる。しかし、受信機６０６が望まない送信機６０２からの送信を復号化するのに忙しいので、所望の送信機６０４のプリアンブルを聞き取れない。その結果、受信機６０６は、所望の送信機６０４からのプリアンブルを完全に見逃すことになる。したがって、単一のプリアンブルを有することになって、望まない送信機に属するフレームの復号化に努力を浪費することになり、所望の送信機のフレームを見逃すことになる。
【００２４】
反対に、図６（ｂ）は、本発明の実施形態により、多数のプリアンブルの支援を利用したＶＬＣ通信の一例を示している。この例において、受信機６１２は、プリアンブル２を有する、所望の送信機６１０からの送信を聞き取る。まず、受信機６１２は、望まない送信機６０８からプリアンブル１を受信する。プリアンブル１は、不適合なプリアンブルであるので、受信機６１２はプリアンブル１を拒絶し、望まない送信機６０８からの残りの送信を無視する。受信機６０８は、所望の送信機６１０からプリアンブル２を受信するまで、聞き取り続ける。受信機６１２がプリアンブル２を受信すると、所望の送信機６１０からの送信に同期化する。
【００２５】
図６に例示されたように、互いに異なるプリアンブルが、互いに異なるトポロジー、隣接したＬＡＮネットワークとピコネット及び/又は隣接したカラーチャンネルの区別に利用できるので、受信機は、望まない送信機からのプリアンブルを拒絶し、所望の送信機のプリアンブルを見る時まで、聞き取り続けることによって、電力を節約し、獲得の確率が改善できる。
【００２６】
最善の場合において、プリアンブルは、動作信号対雑音の比（Signal-to-Noise Ratio:ＳＮＲ）が最低伝送率に対するＳＮＲより低いように設計される。低い確率の誤検出（misdetection）がなければならないが、これはヘッダ又はペイロード（pay load）が同期化なしでは復号化できないためである。さらに、低い確率の誤警報（false alarm）がなければならないが、これは、受信機が継続的にトリガーされるためである。これにより、有用なデータを見逃すことになる。
【００２７】
無線通信の標準において、多数のプリアンブルは、一次的に互いに異なる論理チャンネルの分離に用いられる。プリアンブルの設計は、通常的にトポロジー独立的である。無線通信システムは、（ＶＬＣに比べて）相当に全方向的であるので、範囲内で位置を決めやすく、全ての装置に送信（talk）しやすく、互いに異なる装置は、干渉無く作動することができる。伝統的な無線システムは、また、特定の位置で特定のトポロジーに対して設置される。例えば、互いに異なるトポロジーは、ＶＬＡＮ（例えば、ＩＥＥＥ８０２．１１）、Ｐ２Ｐ（例えば、ブルータス）と車両トポロジー（例えば、ＩＥＥＥ８０２．１１ｐ）に対して利用できるので、上記互いに異なるトポロジーは、周波数スペクトルの互いに異なる部分を利用し、共存することができる。ＶＬＣは、同一の環境内で多数のトポロジーに支援を提供し、指向性により多数のトポロジーにわたる同一のスペクトルの利用を許容する。赤外線データ協会（Infrared Data Association: ＩｒＤＡ）が発表したような多くの光学的標準は、ＶＬＣほど多くのトポロジーをサービスしないので、単一のプリアンブルのみを用いる。
【００２８】
従って、ＶＬＣにおいて多数のプリアンブルの支援を通じたトポロジー間、トポロジー内及び隣接のカラーの分離が要求される。本発明の実施形態は、プリアンブルの設計において、このような分離と多数のプリアンブルの支援を提供する。特定の実施形態において、互いに異なる類型のＶＬＣ干渉は、多数のプリアンブルとこれらの特性を利用して区別される。多数のプリアンブルに基づいたトポロジー間の分離、トポロジー内の分離及び隣接のカラーの分離が提供される。独立的なプリアンブルが、分離を提供するように構成できるものの、各類型に対する分離を保証するため、独立的なプリアンブルを提供するのは、数百個から数千個のプリアンブルを要求することができ、これはシステムを最も複雑にし、プリアンブルの長さを相当に増やす。互いに異なる実施形態は、プリアンブルの個数、これらの符号及びカバーシーケンスを修正して、同一のプリアンブルの多数の繰り返しが、互いに異なる類型のＶＬＣ干渉間に分離を提供するようにする。かかる実施形態は、以下の表１にまとめた。
【００２９】
【表１】
0005442127.tif 000002
【００３０】
上記表１は、ＶＬＣで分離を提供する方法を例示している。
【００３１】
各干渉の類型と関連した分離方法は、本開示の好適な実施形態を反映する。しかし、互いに異なる実施形態は、どんな組合であっても、ＶＬＣについての上述の三つの干渉類型の中のいずれかの（又は他の干渉類型）と共に、利用できるように配列されるか、組合わせることができることに留意する。
【００３２】
本開示の有用な実施形態において、多数のプリアンブルは、互いに異なるＶＬＣトポロジー及び/又はピコネットの分離に用いることができる。これは、ＶＬＣ受信機が適合な送信機及び/又はピコネットに同期化されるようにし、不適当な送信機に接続されないようにして、意図しなかったフレームの復号化に時間と電力を無駄遣いしないようにする。これは、また、受信機が望まない関連を拒絶し、意図した送信を見逃さず、所望のトポロジーに速く接続するようにする。図２に示したように、ＩＥＥＥに４個の主要ＶＬＣトポロジー（即ち、Ｐ２Ｐ、ＶＬＡＮ、ＩＢ及びＶＢ）が記述されており、その中の一つがＥＣＭＡ（即ち、ＮＦＣ）のために考慮されている。多数のプリアンブルを用いることにより、ＶＬＣ受信機は、互いに異なるＶＬＣトポロジーを区別できるようになる。例えば、車両トポロジーのみのため設置されたＶＬＣ装置は、自動に互いに異なるプリアンブルの選択及び利用に基づいて、Ｐ２Ｐ又はＮＦＣトポロジーのための装置からの送信を拒絶することができる。
【００３３】
可能なプリアンブルの数とプリアンブルの長さを決めるために、いくつかの要素が考慮される。各プリアンブルは、一番低い伝送率を復号化するための動作ＳＮＲが高くように設計しなければならない。データは、プリアンブルが検出され、受信されたデータが送信時間に同期化されないと、復号化できないので、各プリアンブルは低い確率の誤検出を有しなければならない。誤警報は、受信機が継続的にトリガーするようにし、有用な送信を見逃すようになり得るので、各プリアンブルは低い確率の誤検出を有しなければならない。数多くのプリアンブルは、プリアンブルの選択及び設計を非常に複雑にし、誤警報を誘発し得るので、互いに異なるプリアンブルの総数は、最小化するのが好ましい。少数のプリアンブルは、また、プリアンブルの全長さをより短くして、出力効率を改善する。
【００３４】
図７は、本開示の実施形態により、クロック及びデータ回復（Clock and Data Recovery: ＣＤＲ）ユニットに対するファストロックタイム（fast lock time）を達成するための方法を示している。時には、ＣＤＲユニットに対してファストロックタイムを得るため、プリアンブルで１０１０１０・・・パターンを用いるのが好ましい。１０１０１０・・・パターン（又は０１０１０１・・・パターン）は、ＣＤＲ回路がより速いロックを得るように助ける最大転換パターンを表す。有用な実施形態において、最大転換パターンは、「１」と「０」ビットが交互する６４ビットや他の最大転換パターンも可能である。
【００３５】
特定の実施形態において、プリアンブルはファストロッキングタイムを達成し、多数のトポロジーに対する分離及び望まないトポロジーの拒絶を提供するため、ファストロッキングパターンを多数のトポロジー依存プリアンブルパターンと組合わせる。図７（a）は、トポロジー依存プリアンブルパターンの「ｚ」繰り返しを示している。上記「ｚ」繰り返しは、ロッキングのための時間を含んでもよい。反対に、図７（ｂ）は、ファストロッキングパターンの「ｘ」繰り返しと、その後に、トポロジー依存プリアンブルパターンの「ｙ」繰り返しを示している。図７（a）において、ロックを達成するため要求される上記「ｚ」プリアンブルパターンの繰り返しは、最大転換パターン（１０１０１・・・）を用いる時より最も多くの時間を要求することができる。従って、図７（a）に示したように、最大転換パターンの「ｘ」繰り返しとトポロジー依存プリアンブルパターンの「ｙ」繰り返しを用いることによって、プリアンブルパターンの「ｚ」繰り返しを用いる時より最も速くロックが達成できる。
【００３６】
特定の例において、「ｘ」は６４ビットの最大転換パターンを表し、トポロジー依存プリアンブルパターンの「ｙ」繰り返しは、以下の表２に示したパターンＰ１、Ｐ２、Ｐ３又はＰ４の４個の繰り返しを含むことができる。しかし、「ｘ」と「ｙ」の他の値及び他のプリアンブルパターンも可能であることがわかる。
【００３７】
図８は、本開示の好適な実施形態により、光学クロック同期化を達成し、着信メッセージにより多数のトポロジーを区別するため、送受信機が用いる２パートのプリアンブルフィールドを示している。互いに異なるトポロジーを区別するために、上記プリアンブルフィールドは、一つ以上のファストロッキングパターン（ＦＬＰ）と、その以降に、互いに異なるトポロジー依存パターン（ＴＤＰ）の一つ以上の繰り返しを含む。上記ＭＡＣは、クロックレートの選択過程中に通信のため、光学クロックレートを選ぶことができる。上記プリアンブルフィールドは、送信機が選択し、受信機が支援するクロックレートに送信できる。特定の実施形態において、上記プリアンブルフィールドは、時間領域シーケンスであり、チャンネルコード又はラインコードを有さない。
【００３８】
上記プリアンブルは、少なくとも６４個の１と０の交互に構成される変更可能な長さのＦＬＰから始まる。上記ＦＬＰは、「１０１０・・・」パターンから始まるもので固定される（従って、ＦＬＰは「０」で終わる）。この最大転換シーケンス（Maximum Transition Sequence: ＭＴＳ）は、最短時間でＣＤＲ回路をロッキングすることに用いられる。典型的に、ファストロッキングパターン長さは、図８に示した最大値を超えないように選択される。ＣＤＲがロックを達成し、クロックを復元する前には、送信されたシーケンスの論理値を決める方法が無い。ファストロッキングパターンの後に、４個のＴＤＰ中の一つの４回繰り返しが送信される。上記ＴＤＰの長さは、１５ビットである。上記ＴＤＰは、ＤＣ均衡と改善された同期化を提供するために、一つおきに反転される（図８で「〜ＴＤＰ」として表示）。
【００３９】
図９は、本開示の一実施形態によるバーストモード送信で用いるためのプリアンブルフィールドを示している。複数の装置間のＶＬＣ通信のため、多数のフレームにわたって同一の目的地に長いデータストリムを送信することもできる。このような場合において、プリアンブルの繰り返しと連続のフレームとの間のフレーム間スペーシング（Interframe Spacing: ＩＦＳ）を減らせるバーストモードが利用されてもよい。以前のフレームも、また、同一の送信機から受信機に送信されるので、上記減少された数のプリアンブルの繰り返しは、システムの出力を向上させ、全受信機を再訓練（retraining）すべき非効率性を除去してくれる。バーストモードの送信のため、ＦＬＰは、図８に示したように、第１フレームのためにのみ含まれる。バーストモードにおいて、後続のフレームは、ＦＬＰを含まないが、この理由はこれが既に送信機に同期化されたためである。従って、図９は、複数のＴＤＰと反転された複数のＴＤＰが交互に並んでいることを示す。これは、プリアンブルの長さを少なくとも１/２ほど減らし、ＭＡＣ階層で向上された出力を提供する。
【００４０】
好適な一実施形態では、Ｐ２Ｐ、ＶＬＡＮ、ＩＢ及びＶＢトポロジーを分離するため、４個のＴＤＰシーケンスを用いる。上記ＮＦＣトポロジーに対するＴＤＰは独立的に設計できるが、これは、干渉の確率が最小である非常に近接した通信（<３０ｃｍ）のため、ＮＦＣが用いられるためである。４個のＴＤＰシーケンスを決めるために、カサミ（Kasami）の短いシーケンスコードセットを検索することもできる。一般に、２ｎビットのカサミ（Kasami）シーケンスを検索すると、（２ｎ−１）ビットのＴＤＰが出ることもできる。一例において、長さの１６であるカサミ（Kasami）シーケンスを検索した後に、４個の１５ビットのＴＤＰパターンＰ１−Ｐ４が得られた。表２は、上記検索から得られた４個のＴＤＰパターンを表している。
【００４１】
【表２】
0005442127.tif 000003
【００４２】
上記表２は、互いに異なるＶＬＣトポロジーについての４個のＴＤＰを例示している。
【００４３】
一実施形態において、上記ＴＤＰは、表３に示したように、互いに異なるトポロジーにマッピングされる。どんなＴＤＰパターンでもトポロジーのため用いられ得ることがわかる。表３におけるマッピングは、一つの具体的な例を示している。
【００４４】
【表３】
0005442127.tif 000004
【００４５】
表３は、トポロジーについてのＴＤＰのマッピングを例示している。
【００４６】
一実施形態において、上記プリアンブルパターンは、反転されるか、「フリップされ」、上記反転されたパターンは、トポロジー類型内で（即ち、トポロジー内の分離）送信同士を区別するため、追加的なプリアンブルとして用いられる。ここで、反転されたパターンは、パターンの各ビットが「１」から「０」へ、又は「０」から「１」へ変更されることを意味する。表４は、表２のプリアンブルパターンに基づいた、反転されたＴＤＰを示している。
【００４７】
【表４】
0005442127.tif 000005
【００４８】
表４は、トポロジー類型内における区別のための反転されたトポロジー依存パターン（ＴＤＰ）を例示している。
【００４９】
典型的な無線システムにおいて、通信チャンネルは１８０度位相遷移を提供できるので、反転されたプリアンブルパターンは、フリップされなかったプリアンブルパターンとの区別が不可能である。しかしながら、ＶＬＣシステムは、オンーオフキー変調と共に、エネルギー基盤の検出を利用する。従って、受信された相関（correlation）の符号（sign）を見て、ＴＤＰ或いはその反転されたパターンが送信されたかを判断することができる。従って、プリアンブルパターンとその反転されたパターンの検出に同一の相関器が用いられ得る。別途のプリアンブルパターンの必要がなしで、トポロジーのための両パターンが同時に検索できる。
【００５０】
この方法は、一つのトポロジー類型内で二つのパターンを区別することができる。二つのパターンは、ＶＬＣにおいて十分であるが、その理由は、殆どの場合において、単一のＶＬＣ装置がＶＬＣの指向性により同一のカラー及び同一のトポロジーの多数の装置から干渉を受けないことになるためである。隣接のカラーの分離を利用して分離できる多数のカラーの選択により、より高い密度を達成できる。
【００５１】
トポロジーを区別するための以前の実施形態において説明された方法を用いて、さらなる多くのＴＤＰをトポロジー類型内のより多くのパターンを支援するための実行可能な代案として類推し、定義することができる。これのためには、もっとも長いプリアンブルの長さと特定のトポロジーの特定のピコネット又は送信機の位置を決めるための増加された検索時間が必要である。
【００５２】
表５は、トポロジー内の分離を定義するため、ＴＤＰとＴＤＰの反転バージョンを全て用いる方法を示している。上記表５は、トポロジー内における区別のための二つのパターンを提供する。より多くのパターンを望むなら、より多くのプリアンブルシーケンスを生成するか（後述する）より多くのカバーシーケンスを生成することのような他の方法を用いてもよい。
【００５３】
【表５】
0005442127.tif 000006
【００５４】
表５は、トポロジーについての複数のＴＤＰのマッピングを例示している。
【００５５】
他の実施形態において、隣接したカラーの干渉を分離するため、カバーシーケンスが定義される。かかる分離を提供するためのカバーシーケンスを類推するためのアルゴリズムが提供される。特定のカバーシーケンスパターンも提供される。プリアンブルは、送信中に同期化のための繰り返された多数の時間であるので、上記プリアンブルは一定のパターンを他のパターンと区別するための特定のパターンにより反転され得る。例えば、パターンにおいて次の数が０であれば、プリアンブルＰ１が送信される。パターンで次の数が１であれば、プリアンブル〜Ｐ１が送信される。プリアンブルがフリップされる順序を定義するパターンが、カバーシーケンスである。上記カバーシーケンスは、プリアンブル送信の終了についてのマーカーの役割を果たすことができる。例えば、受信機がカバーシーケンスの最後の要素と関連したプリアンブルと会うと、受信機はプリアンブル送信が終了されており、次に送信されたシンボルの以後に、制御及びデータが続くことを知ることになる。各論理チャンネル（例えば、図４に示したチャンネル）は、カバーシーケンスを割り当てられ得る。
【００５６】
下記表６は、図４に示したカラーチャンネルと同様な７個の論理カラーチャンネルについて、隣接のカラーチャンネルの分離を提供する７個のカバーシーケンスを挙げられている。各カバーシーケンスの長さは８であり、これはＶＬＣのため、最小８個のプリアンブルの繰り返しが要求されることを意味する。特定の実施形態において、かかるカバーシーケンスは、プリアンブルの繰り返しパターンが終わるときにのみ適用される。例えば、プリアンブルが３２番繰り返されると、カバーシーケンスは最後の８個の繰り返しにのみ適用される。表６において、長さの８である７個のカバーシーケンスを提供しているが、長さの８でないカバーシーケンスを含くめて、付加的なカバーシーケンスも可能であることがわかる。
【００５７】
【表６】
0005442127.tif 000007
【００５８】
表６は、隣接のカラーの干渉を区別するためのカバーシーケンスを例示している。
【００５９】
一実施形態によれば、カバーシーケンスを生成するためのアルゴリズムは、加重メトリック（metric）に基づいている。フレーム同期の検出は、符号の変化に基礎する。例えば、ｘ（ｎ）（ｎ＝０，．．．，１５）をカバーシーケンスとする。特定の例は以下の通りである。
ｘ（ｎ）＝＋＋＋＋＋＋＋＋  ＋＋−−−＋＋−
ｘ（ｎ−１）＝Ｘ＋＋＋＋＋＋＋  ＋＋＋＋−−−＋
ｙ（ｎ）＝ｘ（ｎ）ｘ（ｎ-１）（「差分相関」ともいう。）を計算する。
上記の一例のため、ｙ（ｎ）＝＋＋＋＋＋＋  ＋＋−−＋−−−である。
受信された符号のパターンが−−＋−−−と一致すると、フレームの同期が行われる。
【００６０】
カバーシーケンスの距離メトリックは、不一致（mismatch）の数に依存する。より遠い距離は、フレーム同期エラーの確率がもっと低いことを意味する。シーケンスの末端にもっと近い距離がさらに重要であるが、この理由はフレーム同期のシーケンスの末端における決定がフレーム検出の決定に重要であり、シーケンスの初期部分がＡＧＣとフレーム検出のアルゴリズムから消失される（get lost）ことができるためである。従って、距離がフレーム同期のシーケンスの末端に近いほど、距離に線形的な加重値を与えることができる。
【００６１】
表６に提供されたカバーシーケンスは、このアルゴリズムに基づいて決められる。このような或いは他のアルゴリズムの利用は、付加的なカバーシーケンスを提供できることがわかる。このような付加的なカバーシーケンスは、本開示の範囲内に属する。
【００６２】
前述の多数の実施形態は、４個のプリアンブルと７個のカバーシーケンスを用いてトポロジー間、トポロジー内及び隣接のカラーの干渉を分離するための簡単なメカニズムを提供する。各干渉の類型についての別途のプリアンブルを生成するための抑止（brute force）方法は、２４＊２＊７＝２５６個の互いに異なるプリアンブルを要求する。このような多くのプリアンブルに対する要求は、最もより長いプリアンブルの長さに帰結されることにより、非現実的である。
【００６３】
図１０は、本開示の一実施形態による拡張されたプリアンブルを有するＶＬＣ送信の一例を示している。本実施形態において、プリアンブルはフレーム送信の前にプリアンブルが拡張される。上記拡張されたプリアンブルを通じて、フリッカーリング（flickering）が減少され、可視性が向上され、同期と速い連合（association）のための追加的な受信機の訓練（training）のため、付加的な時間を提供する。これは、移動性、遠距離に渡る通信及び/又は短い通信の日程（timeline）によりプリアンブルの長さが不十分なＶＢのようなトポロジーにとても有益であり得る。
【００６４】
図１０（a）は、プリアンブルブロック、制御ブロック及びその後のデータブロックを用いたデータの定期的送信を示している。送信同士の間に、ＶＬＣ送信機がなんにも送信しないアイドル又は受信ブロックがあり得る。反対に、図１０（ｂ）は、各プリアンブルが隣接のアイドルブロックに渡って拡張されることを示している。従って、図１０（ｂ）において、送信機は拡張された時間の間、プリアンブルを送信する。上記拡張されたプリアンブルは、向上された可視性、減少されたフリッカー及び受信機とのより速い同期を提供する。可視性支援のためのかかる付加的なプリアンブルの繰り返しの利用を拡張されたプリアンブルモードということもできる。有益な実施形態において、上記拡張されたプリアンブルモードにおける拡張されたプリアンブルの繰り返しは、カバーシーケンスを利用しない。代わりに、定期的プリアンブルがカバーシーケンスパターンの提供するフレームの末端を有する。しかし、他の実施形態は、拡張されたプリアンブルの繰り返しにおけるカバーシーケンスの使用を許容することもできることが分かるだろう。
【００６５】
図１１は、本開示の一実施形態により、拡張されたプリアンブルモードでアイドル及び受信ブロックの間、ＦＬＰを用いるＶＬＣ通信の一例を示している。本発明の実施形態において、ＦＬＰ（即ち、１０１０１０１０・・・）は、減少されたフリッカーリングと向上された可視性を提供しながらも、より速く、より良い同期化を提供するように助けるため、アイドル又は受信区間で送信できる。
【００６６】
特定の多数の実施形態において、ＭＡＣデータのフレームは、ＰＨＹ階層に送信され、物理的階層サービスデータユニット（physical-layer-service data unit:ＰＳＤＵ）ともいうＰＨＹペイロードになる。上記ＰＳＤＵは、プリアンブルシーケンスと、オクテット（octet）値としてＰＳＤＵの長さを含むＰＨＹヘッダ（ＰＨＲ）でプレフィックス（prefix）される。上記プリアンブルシーケンスは、受信機がシンボル同期化を達成できるようにする。
【００６７】
図１１（a）は、プリアンブルブロック、ＰＨＲブロック及びその後に、ＰＳＤＵブロックを用いたデータの定期的送信を示している。送信同士の間に、ＶＬＣ送信機が何にも送信しないアイドル又は受信ブロックがあり得る。反対に、図１１（ｂ）は、ＦＬＰが各アイドル/受信ブロック中に送信されるのを示している。上記アイドル/受信ブロックの長さは、ＦＬＰの長さの整数倍でなくてもよい。そのような場合において、可視性を維持するため、ＦＬＰの末端数を切り捨て（truncate）、ＦＬＰのフラクション（fraction）を送信することができる。ＦＬＰは、改善された可視性、減少されたフリッカー及び受信機とのより速い同期化を提供する。
【００６８】
他の実施形態において、ＦＬＰの多くの繰り返し（例えば、４個の繰り返し）の後に、ＴＤＰの多くの繰り返し（例えば、４個の繰り返し）が来るようになる。上記繰り返されたパターンは、各アイドル/受信ブロック中に送信される。他の実施形態において、ＦＬＰとＴＤＰの繰り返しの数は、増加するか、減少し得る。
【００６９】
図１２は、本開示の一実施形態により、拡張されたプリアンブルモードのより詳しい例を示している。本実施形態において、アイドル時間ブロック１１０２の後には、繰り返されたプリアンブルの区間１１０４が来る。媒体アクセス制御（ＭＡＣ）階層は、どんなに多くのアイドル時間が存在するか否かを判断するため、アイドル時間ブロック１１０２についての知識（knowledge）を用いる。上記ＭＡＣ階層は、アイドル時間ブロック１１０２をカバーするため、送信されるプリアンブルの繰り返し１１０６の数を増やす。上記拡張されたプリアンブルは、次のフレーム送信の既存のプリアンブルに隣接するようになる。上記ＭＡＣ階層は、アイドル時間ブロック１１０２で可視性パターン又は拡張されたプリアンブルを送信することを選択できる。上記選択は、ＭＡＣ−ＰＨＹインタフェースを通じてＰＨＹ階層に表示される。例えば、可視性パターン又は拡張されたプリアンブル送信間の選択を表示するため、「macUseExtendedPreamble」のような変数がＭＡＣから送信されることができる。特定の実施形態において、アイドル時間の長さはプリアンブルの長さの整数倍でなくてもよい。そのような場合において、可視性を維持するため、プリアンブルのフラクション（例えば、後ろ部分）を送信することもできる。このようなプリアンブルのフラクションを切断（truncated）プリアンブルとも言える。
【００７０】
図１２は、切断ＦＬＰプリアンブル１１０８の一例を示している。図１２において、上記プリアンブルパターンは、パターン「１０１０」として示している。付加的な「１０１０」プリアンブルブロック１１０６は、アイドル時間ブロック１１０２を満たすため繰り返される。アイドル時間ブロック１１０２は、ＦＬＰ「１０１０」の整数倍ではないので、プリアンブルパターンのフラクション（例えば、「０１０」）がアイドル時間を完成するために送信され得る。図１２は、切断ＦＬＰプリアンブル１１０８が拡張されたプリアンブルモードの全体プリアンブルの前に送信されることとして示されているが、切断ＦＬＰプリアンブル１１０８は、フレームの末端以後のような異なる時間に送信できることもわかるだろう。
【００７１】
図１３は、本開示の一実施形態による、互いに異なる類型のＶＬＣ干渉の分離のための多数のプリアンブル類型の連接（concatenation）を含んだ拡張されたプリアンブルを示している。上記拡張されたプリアンブルは、各々ＶＬＣ干渉の類型を分離するように設計された多数のプリアンブルの連接を通じて互いに異なるＶＬＣ干渉の類型を分離する（例えば、トポロジー間の分離、トポロジー内の分離、隣接のカラーの分離）多重パートのプリアンブルである。図示された実施形態において、拡張されたプリアンブル１２００は、３個のプリアンブルブロック１２０２，１２０４，１２０６を含む。プリアンブルブロック１２０２は、トポロジー間の干渉を分離するように構成されたプリアンブル類型１のプリアンブルを含む。プリアンブルブロック１２０４は、トポロジー内の干渉を分離するように構成されたプリアンブル類型２のプリアンブルを含む。プリアンブルブロック１２０６は、隣接のカラーの干渉を分離するように構成されたプリアンブル類型３のプリアンブルを含む。カサミコードセットシーケンスの検索に基づいて、各干渉の類型に対して異なるプリアンブルが生成され得る。上記互いに異なるプリアンブルは、全ての互いに異なる干渉の類型を区別できる、より大きな拡張されたプリアンブルパターンを形成するように連接できる。
【００７２】
図１３に示したように、各プリアンブル類型の長さと各類型におけるパターンの数は、可変的であってもよい。例えば、プリアンブルブロック１２０２においてプリアンブル類型１の「Ｐ」パターンが好ましく、プリアンブルブロック１２０４には、プリアンブル類型２の「Ｑ」パターンが、プリアンブルブロック１２０６には、プリアンブル類型３の「Ｒ」パターンが好ましい。同一のプリアンブル類型内のプリアンブル間の相互相関は、非常に良好であってもよい。互いに異なるプリアンブル類型からのプリアンブル間の相互相関は、あまり良好でなくてもよい。従って、受信機が共同で符号化されたプリアンブルシーケンスの構成を知り、適切な類型を探すとき、適切な地点で相関を中止できるようにすることが非常に大事である。例えば、この場合、受信機はまず、後にプリアンブル類型２とプリアンブル類型３が来るプリアンブル類型１を探さなければならない。図１２に図示された干渉類型の順序（トポロジー間、トポロジー内、隣接チャンネルの分離）は、例示に過ぎない。他の順序の干渉類型も可能である。
【００７３】
図１４は、本開示の実施形態により、ＦＬＰをベースプリアンブルの繰り返しに統合して拡張されたプリアンブルを生成する方法を示している。図７（ａ）と類似に、図１４（ａ）は、長さ「Ｌ」のプリアンブルの「ｐ」繰り返しを示している。反対に、図１４（ｂ）は、ファストロッキングの最大転換シーケンス（ＭＴＳ）（例えば、１０１０１・・・又は０１０１０・・・）を各プリアンブルの開始に添付した新しいプリアンブルパターンを示している。上記新しいプリアンブルの長さは「Ｍ」である。しかしながら、新しいプリアンブルの「ｑ」繰り返しのみがロックの達成に要求される。これは、全ロッキング時間を図１４（ｂ）のプリアンブルパターンよりもっと速くする。
【００７４】
他の実施形態において、最大転換シーケンスは、プリアンブルの開始以外のプリアンブルの部分（例えば、プリアンブルの中間又は末端）に統合されるか、又は付加されてもよい。他の実施形態において、他のＦＬＰ（例えば、１００１００１００・・・、１１００１１００・・・など）が最大転換シーケンスの代わりにロッキングのため用いられ得る。
【００７５】
広範囲のトポロジーのため、ＶＬＣが有用であることが示された。一部のＶＬＣ装置は、単一トポロジー或いはトポロジーのサブセットに対して設置されるか、最適化されるので、全てのＶＬＣ送信を検出しないのが好ましい。ＶＢのようなトポロジーの場合、装置同士間の総通信時間が短いので、時間が非常に重要である。ＶＬＣのため、多数のプリアンブルを支援するのは、互いに異なるトポロジーからの干渉を分離し、拒絶できるようにし、所望のピコネット又は送信への接続を可能とする。
【００７６】
以上、本発明を具体的な実施形態を参照して詳細に説明してきたが、様々な変更及び修正は当業者によって提案可能であり、本発明は、添付の特許請求の範囲内に属するそのような変更及び修正を含むことが意図される。
【符号の説明】
【００７７】
５０２  ＶＬＣ装置
５０４  ＶＬＣ装置
５０６  インフラアクセスポイント
５０８  ＶＬＡＮネットワークアクセスポイント
５１０  第２アクセスポイント
【図２】
0005442127.tif 000008
【図３】
0005442127.tif 000009
【図４】
0005442127.tif 000010
【図６】
0005442127.tif 000011
【図７】
0005442127.tif 000012
【図８】
0005442127.tif 000013
【図９】
0005442127.tif 000014
【図１０】
0005442127.tif 000015
【図１１】
0005442127.tif 000016
【図１２】
0005442127.tif 000017
【図１３】
0005442127.tif 000018
【図１４】
0005442127.tif 000019
【図１】
0005442127.tif 000020
【図５】
0005442127.tif 000021